(57)【特許請求の範囲】
【請求項１】
電子部品等を収納し得る上面側が開口された収納凹部が所定間隔で列設され、各収納凹部内に電子部品等の抜脱を防ぐ脱落防止片が形成されてなるキャリアテープにおいて、
該キャリアテープが硬質紙等を巻き込むことなくリール等に巻かれて層状に重ね合わされたとき下層側の収納凹部内に上層側の収納凹部が嵌まり込むのを防ぐ膨出部が、収納凹部の側面から外側へ膨出形成されていることを特徴とするキャリアテープ。
【発明の詳細な説明】
【０００１】
【産業上の利用分野】
この発明は、電子部品等を収納する収納凹部を多数列設してなるキャリアテープの改良に関するものである。
【０００２】
【従来の技術及びその課題】
従来、電子部品等は非常に細かい部品であり、このような部品を傷付くことなく個別に収納して輸送等ができ、また、電子製品等を組み立てる実装装置で利用し易いように、電子部品等は多数の電子部品等を収納できる多数の収納凹部を列設したキャリアテープ内に収納されており、図４に示すように、従来のキャリアテープ５１は、所定間隔で電子部品５４，５４，５４をそれぞれ収納できる収納凹部５２，５２，５２が多数列設されて形成されており、各収納凹部５２内に電子部品５４を収納させる際等には、図５に示すようにキャリアテープ５１がリール５５の外周に多層状に巻かれて、順次キャリアテープ５１が引き出されてゆき、それぞれの収納凹部５２内に電子部品５４が入れられて、その後に上面に剥離シート５３が貼着されて、各収納凹部５２の上面が剥離シート５３により覆蓋されるものであるが、図５のようにリール５５の外周に多層状にキャリアテープ５１を巻いた時に、下層側のキャリアテープ５１の収納凹部５２内に上層側に重ね合わされるキャリアテープ５１の収納凹部５２が嵌まり込んでしまう場合があり、このように収納凹部５２内に上層側の収納凹部５２が嵌まり込んだ状態でキャリアテープ５１を図５のように引き出すと、引出し時に収納凹部５２が形状破損してしまうことがあり、そのような事態を回避するために、従来ではリール５５にキャリアテープ５１を巻く際に各層間に硬質紙等を巻き込んで収納凹部５２の嵌まり込みを防いでおり、硬質紙を巻き込むことが非常に面倒でコストがかかっていた。
【０００３】
【課題を解決するための手段】
本発明は上記従来の問題点に鑑み案出したものであって、リール等の外周に巻いて層状にキャリアテープを重ね合わせた時にも、収納凹部内に上層側の収納凹部が嵌まり込むことのないキャリアテープを提供せんことを目的とし、その要旨は、電子部品等を収納し得る上面側が開口された収納凹部が所定間隔で列設され、各収納凹部内に電子部品等の抜脱を防ぐ脱落防止片が形成されてなるキャリアテープにおいて、該キャリアテープが硬質紙等を巻き込むことなくリール等に巻かれて層状に重ね合わされたとき下層側の収納凹部内に上層側の収納凹部が嵌まり込むのを防ぐ膨出部が、収納凹部の側面から外側へ膨出形成されていることである。
【０００４】
【実施例】
以下、本発明の実施例を図面に基づいて説明する。
図１は、キャリアテープの上面側からの斜視構成図であり、キャリアテープ１は樹脂製のエンボステープで構成され、長手方向に沿って所定間隔で下方側へ凹み状に収納凹部Ｓ，Ｓ，Ｓが多数形成されており、各収納凹部Ｓの上面は開口されてその内部に電子部品等を収納できるように構成されており、キャリアテープ１の上面の幅方向の端側には長手方向に沿って所定間隔で送り孔３，３，３が貫通形成されており、この送り孔３，３，３を介し実装装置等で順次キャリアテープ１を送り出すことができるように構成されている。
【０００５】
図２は、キャリアテープ１を裏返して収納凹部Ｓの部分を拡大した斜視図であり、図に示すように、各収納凹部Ｓは下側へ向かって凹み、上面側が開放された箱状に形成されており、上面２から下方側へ向かってテーパー状に縮径してテーパー側長面４，４とテーパー側短面５，５が形成され、テーパー側長面４，４とテーパー側短面５，５の底側には底面６が形成されたものとなっており、キャリアテープ１の幅方向に沿う前記テーパー側長面４には切欠開口４ａが形成されて、この切欠開口４ａにより打ち抜かれて収納凹部Ｓ内へ突出して脱落防止片８，８が形成されたものとなっており、この脱落防止片８，８は収納凹部Ｓ内に電子部品が収納された時に、電子部品の側面等に当接等して電子部品の収納凹部Ｓ内でのガタつきを防ぐとともに、電子部品の収納凹部Ｓからの抜脱を防ぐために形成されたものである。
【０００６】
さらに本例では、前記収納凹部Ｓを形成するテーパー側長面４とテーパー側短面５との交差部のコーナー部に外側へ膨出して膨出部７が一体形成されたものとなっており、この膨出部７はコーナー部から外側へ向かって、上面２から底面６に亘って上下に円筒状に膨出形成されたものであり、前記テーパー側長面４及びテーパー側短面５と同様に上面２から底面６に亘り傾斜してテーパー状に形成されて成形時の抜き勾配が形成されたものとなっている。
【０００７】
なお、この膨出部７は図１及び図２に示すように、各収納凹部Ｓにおいてそれぞれ異なる位置に外側へ膨出形成させておくことができ、収納凹部Ｓを形成させる際に一体状に形成させることができるものである。このように膨出部７を各収納凹部Ｓ毎に交互に反対方向等に膨出形成させておけば、このようなキャリアテープ１が前述した図５のようにリール５５の外周に巻かれて多層状に重ね合わされた時にも、図３に示すように前記膨出部７が下層側のキャリアテープ１の上面２に当接して、この膨出部７により上層側の収納凹部Ｓが下層側の収納凹部Ｓ内に嵌まり込むことが確実に防がれるものである。
即ち、この膨出部７が存在しないと、収納凹部Ｓはテーパー状に形成されており、上面２側の開口径が大であり、底面６側の径が小となっているため、底面６側が下層側の収納凹部Ｓの上面より内部に嵌まり込んでしまうこととなるが、本例では、膨出部７によりこの嵌まり込みが良好に防がれるのである。なお、膨出部７が各収納凹部Ｓ毎に異なる位置に形成されていれば、より確実に嵌まり込みを防ぐことができるものとなる。
【０００８】
なお、本例では、膨出部７はテーパー側長面４とテーパー側短面５の交差するコーナー部に一体状に形成したものを例示したが、コーナー部に限らずテーパー側長面４またはテーパー側短面５から外側へ向かって一体状に膨出させて形成させることもでき、この膨出部７の位置は本例のものに限定されるものではない。また、膨出部７は各収納凹部Ｓ毎に２個以上形成させることもでき、また、本例のような円柱状に限らず三角柱状等に形成させることもできるものである。
【０００９】
なお、収納凹部Ｓの形状も本例のものに限定するものではなく、収納凹部Ｓの側面から外側へ膨出させて膨出部７を一体形成させて、重ね合わされた時の収納凹部の嵌まり込みを膨出部７により良好に防ぐことができる。
【００１０】
【発明の効果】
本発明は、電子部品等を収納し得る上面側が開口された収納凹部が所定間隔で列設され、各収納凹部内に電子部品等の抜脱を防ぐ脱落防止片が形成されてなるキャリアテープにおいて、該キャリアテープが硬質紙等を巻き込むことなくリール等に巻かれて層状に重ね合わされたとき下層側の収納凹部内に上層側の収納凹部が嵌まり込むのを防ぐ膨出部が、収納凹部の側面から外側へ膨出形成されていることにより、キャリアテープが層状に重ね合わされた時にも膨出部により下層側の収納凹部内へ上層側の収納凹部が嵌まり込むのを確実に防ぐことができ、キャリアテープをリール等の外周に巻回させて良好に順次引き出し、実装装置等で良好に使用することができ、従来のような形状破損等が生ずる不具合を確実に防ぐことができる効果を有する。
【図面の簡単な説明】
【図１】  キャリアテープの上面側からの斜視構成図である。
【図２】  図１のキャリアテープを逆向きにして裏面側の要部を拡大した斜視構成図である。
【図３】  キャリアテープを多層状に重ね合わせた状態の概略構成図である。
【図４】  従来のキャリアテープの断面構成図である。
【図５】  キャリアテープをリールの外周に多層状に巻回させた状態の説明構成図である。
【符号の説明】
１  キャリアテープ
２  上面
４  テーパー側長面
５  テーパー側短面
６  底面
７  膨出部
８  脱落防止片
５５  リール
【図１】
0003870305.tif 000002
【図２】
0003870305.tif 000003
【図３】
0003870305.tif 000004
【図４】
0003870305.tif 000005
【図５】
0003870305.tif 000006